(57)【要約】【課題】軽量、安価で、ダスト捕捉性能に優れたダスト等捕捉装置を提供する。【解決手段】複数のローラーＡ〜Ｆ８〜１３（以下「ローラー」という）に張架されたベルト状のネット１８と、ダスト捕捉用の粘着剤１４を収納する粘着剤収納パン１５と、ローラーが設置された基台３とを有し、粘着剤収納パン１５に収納された粘着剤１４にネット１８の一部を浸漬しながらネット１８を移動させて、ネット１８に粘着剤１４を施すもので、ネット１８をローラー上で移動させるだけで、簡単にネット１８に粘着剤１４を付着させることが出来るので、使用勝手が良い。また、粘着剤１４が付着される基材がネットなので、通気性が良く、それにより浮遊ダストの捕捉性能が向上する。さらに、ネットがロール状に巻かれたものではないので、軽量で、また、ネット１８の使用されないまま残る部分が無いので、その部分の劣化を防止することが出来る。【選択図】      図１
2008093528.tif 000002
【特許請求の範囲】
【請求項１】
複数のローラーに張架されたベルト状のネットと、ダスト捕捉用の粘着剤を収納する粘着剤収納パンと、前記ローラーが設置された基台とを有し、前記粘着剤収納パンに収納された前記粘着剤に前記ネットの一部を浸漬しながら前記ネットを移動させて、前記ネットに前記粘着剤を施すようにしたダスト等捕捉装置。
【請求項２】
一枚の帯状のネットの一端を、他端に着脱自在に係止して、前記ネットをベルト状に形成した請求項1に記載のダスト等捕捉装置。
【請求項３】
ローラーに張架されたネットにたるみが発生するのを防止するたるみ防止手段を設けた請求項1又は２に記載のダスト等捕捉装置。
【請求項４】
複数のローラーの内少なくとも1個のローラーを回転駆動するための回転駆動手段を設けた請求項1〜３のいずれか1項に記載のダスト等捕捉装置。
【請求項５】
回転駆動手段を、手又は／及び指で駆動される手段で形成した請求項４に記載のダスト等捕捉装置。
【請求項６】
ネットを張架するローラー間のピッチを調節可能にした請求項１〜５のいずれか1項に記載のダスト等捕捉装置。
【請求項７】
基台の底面に走行車輪を設けた請求項１〜６のいずれか1項に記載のダスト等捕捉装置。
【発明の詳細な説明】
【技術分野】
【０００１】
本発明は、自動車、機器、家具等の塗装工場、食品加工場、精密機械製造工場、電気部品製造工場等で生じる粉塵、塗料ミスト等のダストを除去するダスト等捕捉装置に関するものである。
【背景技術】
【０００２】
従来の工場内でのダストの除去方法として、広い合成樹脂製シートを、工場の壁に取り付けたり、床に敷いた上、それに刷毛又はローラー等でダストを捕捉する粘着剤を塗布する方法があった（例えば、特許文献１参照）。しかし、このような方法の場合、広い合成樹脂製シートを壁や床に取り付けた後に、粘着剤を塗布するため非常に手間がかかった。このような問題を解決するために、所望幅を有するフレキシブルなシート状基材の片面に粘着剤を塗布し、この粘着剤を覆う剥離シートを貼着したダスト等吸着シートが提案されている（例えば、特許文献２参照）。このような剥離シートを貼着したダスト等吸着シートは、製造元の工場から使用現場まで運搬する上ですこぶる便利であり、かつ使用現場では、剥離シートを剥すのみでただちに使用することができるという長所を有している。
【０００３】
しかしながら、このような剥離シートを貼着したダスト等吸着シートは、使用時に、シートの全面に貼られた剥離シートを剥離する必要があるので、剥離の容易性を考えると、粘着剤の粘着力を強力にすることができず、それにより、ダストの吸着性が悪かった。
【０００４】
なお、剥離シートに、例えばシリコン系の剥離剤を使用すると、剥離性が改善されるが、シリコン系の剥離剤を使用すると、自動車塗装においてはその塗装面に、塗料が弾かれたような現象が生じ、不良品となるため、自動車塗装工場においては使用することができず、非シリコン系に限定されるという厄介な条件が存在する。
【０００５】
また、工場内のダスト等は、空気の流れにしたがって工場内を浮遊し、やがてダスト等粘着シートに付着するものであるが、上記のようなダスト等吸着シートの基材には、通気口が存在しないため、ダスト等の浮遊が阻害され、ダスト等粘着シートに対するダスト等の捕捉量が少ないという問題がある。つまり、粘着シートを工場の床に用いる場合には良好な性能を発揮するが、カーテン状に上から下方に垂下せしめて使用する点では十分な満足が得られないのであった。
【０００６】
これらの問題を解決するものとして、通気性の良いネットに粘着剤を塗布し、それに剥離シートを貼着して形成したダスト等の吸着用ネットを、現場で、使用箇所に応じた寸法に裁断し、それをカーテン状に垂下した後、貼着した剥離シートを除去し、粘着剤を露出させて使用するようにしたものがある（例えば、特許文献３参照）。
【０００７】
また、工場内の天井部にすでに設けられているクレーンガーターに、油圧シリンダーで支持したリールを取り付け、そのリールから引き下げる塵取りスクリーンに薬液槽から消毒洗浄液を噴霧して、クレーンガーターを自走させながら、工場空間の浮遊塵埃を塵取りスクリーンに吸着除去するようにしたダスト等捕捉装置も提案されている（例えば、特許文献４参照）。
【発明の開示】
【発明が解決しようとする課題】
【０００８】
しかしながら、上記特許文献３に記載された従来の平板状の吸着用ネットでダスト除去を行う方法では、ダストが付着した吸着用ネットを交換するときは、古い吸着用ネットを壁などから取り外し、新しい吸着用ネットを裁断し、壁に吊るし、剥離シートを剥がさなければならず、吸着用ネットの現場への搬入・搬出、吸着用ネットの交換、吸着用ネットの裁断、付け替えなど都度非常に複雑な作業が必要となるといった課題があった。
【０００９】
また、上記特許文献４に記載された従来のダスト等捕捉装置の構成では、クレーンガーターが無い工場では使用することができず、仮に高額のクレーンガーターを新たに設置して、同装置を取り付けたとしても、塵取りスクリーンは、クレーンガーターのレール方向でのみ移動可能なため、他方向（例えば、クレーンガーターのレール方向と直交する方向など）に移動できないため、同方向で浮遊する粉塵が除去できず、ダスト捕捉性能が悪いという課題があった。また、ダスト等捕捉装置も大掛かりになり設備投資費用が高額で、また、ダスト等捕捉装置の本体部分が工場の天井部にあるので、塵取りスクリーンの取り付け、薬液槽への洗浄液の補充などのメンテナンスが困難になるという課題があった。
【００１０】
本発明は、上記従来の課題を解決するもので、安価な構成で、工場内での運搬、設置、メンテナンスが容易で、しかもダスト捕捉性能に優れたダスト等捕捉装置を提供することを目的とするものである。
【００１１】
【特許文献１】特開昭６３−９３３７２号公報
【特許文献２】特開２０００−６１２２７号公報
【特許文献３】特開２００２−２３３８００号公報
【特許文献４】特開平９−６６２１１号公報
【課題を解決するための手段】
【００１２】
上記従来の課題を解決するために、本発明のダスト等捕捉装置は、複数のローラーに張架されたベルト状のネットと、ダスト捕捉用の粘着剤を収納する粘着剤収納パンと、前記ローラーが設置された基台とを有し、前記粘着剤収納パンに収納された前記粘着剤に前記ネットの一部を浸漬しながら前記ネットを移動させて、前記ネットに前記粘着剤を施すようにしたもので、粘着剤収納パンに必要な粘着剤を入れ、ネットをローラー上で移動させるだけで、簡単にネットに粘着剤を付着させることが出来るので、使用勝手が良い。また、粘着剤が付着される基材がネットなので、通気性が良く、それにより浮遊ダストの捕捉性能が向上する。さらに、ネットがロール状に巻かれたものではないので、ダスト等捕捉装置が軽量になって、工場内での運搬、設置、メンテナンスが容易になり、しかも、ネットの使用されないまま残る部分が無いので、その部分の劣化を防止することが出来る。
【発明の効果】
【００１３】
本発明のダスト等捕捉装置は、安価な構成で、工場内での運搬、設置、メンテナンスが容易で、しかもダスト捕捉性能に優れたものである。
【発明を実施するための最良の形態】
【００１４】
第１の発明は、複数のローラーに張架されたベルト状のネットと、ダスト捕捉用の粘着剤を収納する粘着剤収納パンと、前記ローラーが設置された基台とを有し、前記粘着剤収納パンに収納された前記粘着剤に前記ネットの一部を浸漬しながら前記ネットを移動させて、前記ネットに前記粘着剤を施すようにしたもので、粘着剤収納パンに必要な粘着剤を入れ、ネットをローラー上で移動させるだけで、簡単にネットに粘着剤を付着させることが出来るので、使用勝手が良い。また、粘着剤が付着される基材がネットなので、通気性が良く、それにより浮遊ダストの捕捉性能が向上する。さらに、ネットがロール状に巻かれたものではないので、ダスト等捕捉装置が軽量になって、工場内での運搬、設置、メンテナンスが容易になり、しかも、ネットの使用されないまま残る部分が無いので、その部分の劣化を防止することが出来る。
【００１５】
第２の発明は、特に、第１の発明の一枚の帯状のネットの一端を、他端に着脱自在に係止して、前記ネットをベルト状に形成したもので、フックや面ファスナーなどを用いて、ネットの一端を、他端に着脱自在に係止することにより、ネットの交換が瞬時に出来るようになり、作業性が向上し、メンテナンスも容易になる。
【００１６】
第３の発明は、特に、第１又は第２のローラーに張架されたネットにたるみが発生するのを防止するたるみ防止手段を設けたもので、ネットがだれることが無いので、粘着剤の付着量にむらができず、ネットに粘着剤を均一に付着させることが出来る。また、ネットのローラー上での移動が確実にでき、粘着剤を迅速且つ的確にネットに付着させることが出来る。
【００１７】
第４の発明は、特に、第１〜３のいずれか一つの発明の複数のローラーの内少なくとも１個のローラーを回転駆動するための回転駆動手段を設けたもので、ネットが張架されるローラーの一つに回転駆動手段を設けることで、ネットをローラー上で移動させるための構成が簡素化され、ダスト等捕捉装置を安価に構成することが出来る。
【００１８】
第５の発明は、特に、第４の発明の回転駆動手段を、手又は／及び指で駆動される手段で形成したもので、回転駆動手段を極めて安価に構成することが出来る。
【００１９】
第６の発明は、特に、第１〜５のいずれか一つの発明のネットを張架するローラー間のピッチを調節可能にしたもので、ネットを、工場内の天井や障害物までの高さに合わせて最適な高さまで配置できるので、ダストの捕捉性能が向上する。
【００２０】
第７の発明は、特に、第１〜６のいずれか一つの発明の基台の底面に走行車輪を設けたもので、ダスト等捕捉装置を工場内で自由に移動させることができるようになるので、運搬、設置が容易で、しかもダスト等の捕捉性能も向上する。
【００２１】
以下、本発明の実施例について図面を参照しながら説明する。なお、この実施例によって本発明が限定されるものではない。
【００２２】
（実施例１）
以下、本発明の第１の実施例におけるダスト等捕捉装置について、図１〜４を用いて説明する。図１（ａ）は、本実施例におけるダスト等捕捉装置の全体斜視図、（ｂ）同ダスト等捕捉装置の支柱嵌合部の拡大断面図、図２は、同ダスト等捕捉装置の断面図である。
【００２３】
図１、２において、本実施例におけるダスト等捕捉装置１は、底面に回転自在の走行車輪２を取り付けた基台３と、基台３に、間を置いて立設され上部に高さ調節用のネジ穴４ａを有する一対の支柱Ａ４と、同じく基台３に間を置いて立設され、支柱Ａ４と対向するように配された一対の支柱Ｂ５と一対の支柱Ｃ６と、下方の長手方向に複数の高さ調節用の調整穴７ａを有すると共に、支柱Ａ４の上端に摺動自在に内挿される一対の支柱Ｄ７と、一対の支柱Ａ４間の下部に回転自在に支持されたローラーＡ８とローラーＦ１３と、一対の支柱Ｂ５間の上部に回転自在に支持されると共に両端の外周に均一に突起９ａが設けられたローラーＢ９と、一対の支柱Ｃ６間の上部に回転自在に支持されたローラーＣ１０と、一対の支柱Ｄ７間の上部に回転自在に支持されたローラーＤ１１と、粉塵を吸着する粘着剤１４を収納すると共に断面が逆台形状、すなわち上部の開口幅に対し底の幅が小さい粘着剤収納パン１５と、粘着剤収納パン１５内の底部に回転自在に設けられたローラーＥ１２と、ローラーＡ８、ローラーＢ９、ローラーＥ１２、ローラーＣ１０、ローラーＦ１３、ローラーＤ１１に順に張架され、両側にローラーＢ９の突起９ａに噛み合う穴１８ａを長手方向に有するベルト状のネット１８と、一対の支柱Ａ４のそれぞれに回動自在に一端が軸支された一対の腕柱１９の他端間で回転自在に支持され、ベルト状に張られたネット１８に載置されてネット１８のたるみを防止するたるみ防止手段となるローラーＧ２０と、ネット１８に付着した粘着剤１４が垂れてきたときにそれを受け、粘着剤収納パン１５に流すように傾斜させて設けられた受け板２１から構成されている。
【００２４】
本実施例では、支柱Ａ４及び支柱Ｄ７を、強度を確保するために、図に示すように、角柱で構成したが、特にそれに限定するものではなく、最低限必要な強度に応じて、パイプ状のものであっても構わない。
【００２５】
２２は、ローラーＤ１１を所定の高さで保持するためのボルトで、図１（ｂ）に示すように、支柱Ａ４内で、支柱Ｄ７を、ローラーＤ１１が希望の高さになるように上又は下方向に摺動させ、希望する高さで、支柱Ａ４のネジ穴４ａと支柱Ｄ７の調整穴７ａのそれぞれの中心を合わせて、そこにボルト２２をねじ込むことにより、支柱Ｄ７の上下方向での移動が規制され、ローラーＤ１１が所定の高さで保持されるようになっている。
【００２６】
２３は、略Ｌ字状でローラーＢ９のシャフト９ｂに着脱自在に嵌着されると共に、手でローラーＢ９を回転させる回転駆動手段となるハンドルである。なお、このハンドル２３の代わりに、特に図示しないが、ローラーＢ９のシャフト９ｂに、外周の一部に指穴を設けた円板を取り付け、その指穴に指を差し込んで円板を、すなわちローラーＢ９を回転させるようにしても良い。
【００２７】
図３（ａ）は、ネット１８のベルト状にする前の状態を示す斜視図で、（ｂ）は、ネット１８の要部断面図である。
【００２８】
ネット１８は、図３に示すように、幅広の帯状のネット基材１８ｂと、このネット基材１８ｂの一方の端部の上面に多数のフックを有する面ファスナー２４ａを、他方の端部の裏面に、多数のループを有する面ファスナー２４ｂを設けて、面ファスナー２４ｂを面ファスナー２４ａに押さえつけて、ネット基材１８ｂをベルト状にしてネット１８を形成するようにしている。
【００２９】
なお、ネット基材１８ｂの一方の端部の上面に多数のループを有する面ファスナー２４ｂを、他方の端部の裏面に多数のフックを有する面ファスナー２４ａを設けて、ネット基材１８ｂをベルト状にしても何ら問題ないことは言うまでも無い。
【００３０】
ネット基材１８ｂは、繊維で網目状に織った織布（図示せず）や編布等（図示せず）や、図４（ａ）に示すようなパンチングによる多数の連通孔３０ａが形成されたパンチングネット３０、図４（ｂ）に示すような繊維３１ａ間に隙間３１ｂが有る不織布３１や、図４（ｃ）に示すような連続気泡３２ａがあるスポンジネット３２などからなるもので、上記連通孔３０ａ、隙間３１ｂ、連続気泡３２ａは、いずれも空気が通る空気通路部となるものである。上記は、あくまでも、ネット基材１８を形成する材料の例であって、要は、空気が通る空気通路部があるものであれば、材料、形状、厚みはどんなものでも良い。
【００３１】
また、本実施例では、粘着剤収納パン１５は、ステンレスなどの錆び難く、また、粘着剤１４に侵され難い材料からなり、しかも基台３に対し着脱自在にして、粘着剤収納パン１５の交換、洗浄を容易にしている。
【００３２】
また、粘着剤収納パン１５内に設けられたローラーＥ１２は、必ずしも回転自在のローラーでなくても、ネット１８との間のすべり性に問題が無ければ、固定式の丸棒、或いは、端面が円弧状に加工された板材でも構わない。
【００３３】
また、粘着剤収納パン１５に収納される粘着剤１４は、エポキシ樹脂、アクリル樹脂、テルペン樹脂、フェノール樹脂などから形成され、その粘度（流動性）は、ネット基材１８ｂの材質、網目（空気通路部）の大きさ、周囲の温度等を勘案して適宜決めるようにする。
【００３４】
次に、本実施例におけるダスト等捕捉装置１の使用方法について説明する。
【００３５】
最初に、本実施例におけるダスト等捕捉装置１を設置する工場内の天井、又は天井に配設された各種配管類（図示せず）などの障害物までの高さを考慮して、ローラーＤ１１が最適な高さになるように、支柱Ｄ７を上下させて調整したうえで、ボルト８でそれを固定する。
【００３６】
次に、ネット１８の、ローラーＧ２０以外の全ローラーに、図２に示すように張架させるに必要な長さを決定し、それに合わせて、ネット基材１８ｂを裁断し、両端に面ファスナー２４ａ、２４ｂを縫い付け、図２に示すように、ローラーＧ２０以外の全ローラーに、ネット１８を張架し、面ファスナー２４ａと面ファスナー２４ｂとを圧接する。そして、張架されたネット１８の一部に、同図２に示すように、ローラーＧ２０を載せて、ネット１８にたるみが生じないようにする。
【００３７】
次に、粘着剤収納パン１５に、少なくとも、ローラーＥ１２が十分浸かると共に、ネット１８全部に付着させることができる程度の量の粘着剤１４を投入する。
【００３８】
これで、本実施例におけるダスト等捕捉装置１の使用準備完了である。次に、ダスト等捕捉装置１を、使用場所まで移動させ、ハンドル２３を廻して、ローラーＢ９を回転させて、ネット１８を矢印方向に移動させながら１周させる。この間、ローラーＥ１２に張架されたネット１８の一部が、粘着剤１４に浸漬しているので、ネット１８を１周させることにより、ネット１８全体に粘着剤１４を付着させることが出来る。また、粘着剤１４がネット１８に付着しすぎて、ネット１８からたれ落ちても、それを受け板２１で受けると共に、粘着剤収納パン１５に流れ落ちるので、使用勝手がよいものである。
【００３９】
なお、ハンドル２３を廻す速度は、ネット１８への粘着剤１４の付着状況を見ながら適宜調整すると良い。
【００４０】
そして、粘着剤１４が全体に付着されたネット１８を張架したダスト等捕捉装置１を放置しておくことにより、空気中の粉塵や、細塵がネット１８上の粘着剤１４に付着、捕獲され、空気が清浄化される。
【００４１】
ネット１８上の粘着剤１４が乾燥してきて、或いは付着した多くの粉塵で、粘着性が無くなってきたら、粘着剤収納パン１５に、粘着剤１４を追加し、ハンドル２３を廻して、ネット１８を移動させて、粘着剤１４を、前回のものに上塗りするように再度付着させるとよい。
【００４２】
また、ネット１８に粘着剤１４を何層も付着させ、再利用が困難になってきたら、ネット１８を新しいものに交換して、新たに始めると良い。
【００４３】
特に本実施例におけるネット１８は、ネット基材１８ｂと、その両端に設けられ着脱自在に面ファスナー２４ａ、２４ｂで形成されているので、ネット１８の交換はきわめて容易である。
【００４４】
以上のように、本実施例におけるダスト等捕捉装置によれば、粘着剤収納パン１５に必要な粘着剤１４を入れ、ネット１８をローラーＡ〜Ｆ（８〜１３）上で移動させるだけで、簡単にネット１８に粘着剤１４を付着させることが出来るので、使用勝手が良い。また、粘着剤１４が付着されるネット１８のネット基材１８ｂがネット状なので、通気性が良く、それにより浮遊ダストの捕捉性能が向上する。さらに、ネットがロール状に巻かれたものではないので、ダスト等捕捉装置１が軽量になり、容易に移動することが出来ると共に、そのネットの使用されないまま残る部分が無いので、その部分の劣化を防止することが出来る。
【００４５】
また、一枚の帯状のネット基材１８ｂの一端を、面ファスナー２４ａ、２４ｂを用いて他端に着脱自在に係止して、前記ネット１８をベルト状に形成したことにより、ネット１８の交換が瞬時に出来るようになり、作業性が向上し、メンテナンスも容易になる。なお、上記面ファスナー２４ａ、２４ｂの代わりに、ネット基材１８ｂの一端に、図示しないフックを設け、他端に前記フックが引っ掛けられるループ或いはフックを設けて、両端部を着脱自在にしても良い。
【００４６】
さらに、ローラーＡ〜Ｆ（８〜１３）に張架されたネット１８にたるみが発生するのを防止するためのたるみ防止手段として、ローラーＧ２０を設けたことにより、ネット１８がだれることが無く、粘着剤１４の付着量にむらができないので、ネット１８に粘着剤１４を均一に付着させることが出来る。また、ネット１８の移動が確実にでき、粘着剤１４を迅速且つ的確にネット１８に付着させることが出来る。
【００４７】
また、ローラーＢ９を回転駆動するための回転駆動手段としハンドル２３を設けたことにより、ネット１８をローラーＡ〜Ｆ（８〜１３）上で移動させるための構成が簡素化され、ダスト等捕捉装置１を安価に構成することが出来る。
【００４８】
なお、上記実施例では、ローラーＢ９をハンドル２３で廻すようにしたが、他のローラー例えば、ローラーＣ１０に、ローラーＢ９に設けたものと同様の突起９ａを設けて、ローラーＣ１０を廻すようにしても良い。
【００４９】
また、本実施例では、回転駆動手段として、手で廻すハンドル２３で形成したので、極めて安価に構成することが出来る。
【００５０】
また、支柱Ｄ７を上下動自在にすると共にローラーＤ１１の高さを変えて、ネット１８を張架するローラーＡ８との間のピッチを調節可能にしたので、ネット１８を、工場内の天井や障害物までの高さに合わせて最適な高さまで配置できるので、ダストの捕捉性能が向上する。
【００５１】
また、基台３の底面に走行車輪２を設けているので、ダスト等捕捉装置１を工場内で自由に移動させることができるようになるので、ダスト等の捕捉性能が向上する。
【００５２】
なお、図１、２において、説明を容易にするために、各ローラーの径を大きくして図示したが、例えば、図５に示すように、ローラーＡ８、ローラーＤ１１、ローラーＦ１３用に径の小さなものを使用し、支柱Ａ４の数箇所に、ネット１８の側部をガイドするガイドレール２８を設けるようにすれば、風などでネット１８がばたつくことが無く、使用勝手を向上させることができる。
【産業上の利用可能性】
【００５３】
本発明に係るダスト等捕捉装置は、安価な構成で、工場内での運搬、設置、メンテナンスが容易で、しかもダスト捕捉性能に優れたもので、粉塵やミストの除去が不可欠な塗装工場、食品加工場、精密機械製造工場、電気部品製造工場等で広く使用することができる。
【図面の簡単な説明】
【００５４】
【図１】（ａ）本発明の第１の実施例におけるダスト等捕捉装置の全体斜視図、（ｂ）同ダスト等捕捉装置の支柱嵌合部の拡大断面図
【図２】同ダスト等捕捉装置の断面図
【図３】（ａ）同ダスト等捕捉装置のネットのベルト状にする前の状態を示す斜視図、（ｂ）同ネットの要部断面図
【図４】（ａ）〜（ｃ）同ネットのネット基材の例を示す図
【図５】（ａ）ダスト等捕捉装置の他の例を示す部分断面図、（ｂ）図（ａ）のＢ−Ｂ断面図
【符号の説明】
【００５５】
１  ダスト等捕捉装置
２  走行車輪
３  基台
４〜７  支柱Ａ〜Ｄ
８〜１３  ローラーＡ〜Ｆ  
１４  粘着剤
１５  粘着剤収納パン
１８  ネット
２０  ローラーＧ（たるみ防止手段）  
２３  ハンドル（回転駆動手段）
３０  パンチングネット
３０ａ  連通孔
３１  不織布
３１ａ  繊維
３１ｂ  隙間
３２  スポンジネット
３２ａ  連続気泡    
【図１】
2008093528.tif 000003
【図２】
2008093528.tif 000004
【図３】
2008093528.tif 000005
【図４】
2008093528.tif 000006
【図５】
2008093528.tif 000007